(57)【要約】【課題】  コネクタハウジングを挿入する際に要する力を最初から最後まで同等にすることができるコネクタを提供する。【解決手段】  第２コネクタハウジング２０に第１コネクタハウジング１０が挿入された状態で、第１コネクタハウジング１０の側壁１２に設けられた係止突起３１と、側壁１２と対向する第２コネクタハウジング２０の第２ハウジング摺動面２２に設けられた係合部４０とが係合することで連結されるコネクタ１に、第１コネクタハウジング１０を第２コネクタハウジング２０に挿入する方向に沿って、側壁１２に立設された基端部３２から第２ハウジング摺動面２２の周方向に沿って延設し、且つ第１コネクタハウジング１０が第２コネクタハウジング２０に挿入された状態で可撓変形し、第２ハウジング摺動面２２に付勢保持されるロッキングアーム３０の先端部に係止突起３１を配設する。【選択図】      図１
2006073317.tif 000002
【特許請求の範囲】
【請求項１】
係止突起を備えた可撓性のロッキングアームを有するコネクタハウジングと、該係止突起と係合し、該コネクタハウジングを抜止め係止する係合部を備えた嵌合部材と嵌合するコネクタであって、
前記ロッキングアームは、前記コネクタハウジングの側壁から突設する基端部と、
この基端部から該コネクタハウジングの外周方向に屈曲して延びる片持ちの弾性腕部とからなり、
この弾性腕部に前記係止突起が形成されることを特徴とするコネクタ。
【請求項２】
請求項１記載のコネクタにおいて、
前記ロッキングアームは、前記コネクタハウジングの嵌合方向前端から後端に向けて連続形成され、且つ前記係止突起が形成される箇所には、付勢力調整手段が形成されていることを特徴とするコネクタ。
【請求項３】
請求項１、または請求項２記載のコネクタにおいて、
前記ロッキングアームのうち、前記コネクタハウジングの嵌合方向の先端にはテーパー面が形成されていることを特徴とするコネクタ。
【請求項４】
請求項１乃至請求項３のいずれか１項記載のコネクタにおいて、
前記付勢力調整手段は、前記係止突起の側に前記弾性腕部を切り欠いて形成されたスリットであることを特徴とするコネクタ。
【請求項５】
請求項１乃至請求項３のいずれか１項記載のコネクタにおいて、
前記付勢力調整手段は、前記弾性腕部のうち前記係止突起が設けられる箇所の周辺に形成される薄肉部であることを特徴とするコネクタ。
【請求項６】
請求項１乃至請求項５のいずれか１項記載のコネクタにおいて、
前記嵌合部材は、前記コネクタハウジングを収容可能な第２のコネクタハウジングであることを特徴とするコネクタ。
【請求項７】
請求項１乃至請求項５のいずれか１項記載のコネクタにおいて、
前記弾性腕部は、前記係止突起と前記係合部との係合後に、前記嵌合部材のうち、前記係合部が設けられる箇所の周辺の内壁面を付勢保持することを特徴とするコネクタ。
【発明の詳細な説明】
【技術分野】
【０００１】
本発明は、配線の端子を電気的に連結するコネクタに関する。
【背景技術】
【０００２】
この種のコネクタとしては、特許文献１に開示されたものがある。このコネクタは、半嵌合状態では、撓み係止片がストッパに係止することにより検知部材の検知位置への移動が規制され、正規嵌合状態では撓み係止片がストッパから解離するので検知部材を検知位置へ移動させることができる。即ち、検知部材を検知位置へ移動させることができるか否かにより両コネクタハウジングの嵌合状態を検知することができるものである。
【特許文献１】特開２００３−１４２２０９号公報
【発明の開示】
【発明が解決しようとする課題】
【０００３】
しかしながら、前記従来のコネクタでは、ロックアームがコネクタハウジングの挿入方向に沿って撓むように設けられているため、第１コネクタハウジングに第２コネクタハウジングを挿入するにしたがって、第２コネクタハウジングを挿入するために要する力が大きくなり、ロック突起とストッパを係合させることが困難になる可能性があった。
【０００４】
そこで、本発明は、前記した課題を解決すべくなされたものであり、コネクタハウジングを挿入する際に要する力を最初から最後まで同等にすることができるコネクタを提供することを目的とする。
【課題を解決するための手段】
【０００５】
請求項１の発明は、係止突起を備えた可撓性のロッキングアームを有するコネクタハウジングと、該係止突起と係合し、該コネクタハウジングを抜止め係止する係合部を備えた嵌合部材と嵌合するコネクタであって、前記ロッキングアームは、前記コネクタハウジングの側壁から突設する基端部と、この基端部から該コネクタハウジングの外周方向に屈曲して延びる片持ちの弾性腕部とからなり、この弾性腕部に前記係止突起が形成されることを特徴としている。
【０００６】
請求項２の発明は、請求項１記載のコネクタにおいて、前記ロッキングアームは、前記コネクタハウジングの嵌合方向前端から後端に向けて連続形成され、且つ前記係止突起が形成される箇所には、付勢力調整手段が形成されていることを特徴としている。
【０００７】
請求項３の発明は、請求項１、または請求項２記載のコネクタにおいて、前記ロッキングアームのうち、前記コネクタハウジングの嵌合方向の先端にはテーパー面が形成されていることを特徴としている。
【０００８】
請求項４の発明は、請求項１乃至請求項３のいずれか１項記載のコネクタにおいて、前記付勢力調整手段は、前記係止突起の側に前記弾性腕部を切り欠いて形成されたスリットであることを特徴としている。
【０００９】
請求項５の発明は、請求項１乃至請求項３のいずれか１項記載のコネクタにおいて、前記付勢力調整手段は、前記弾性腕部のうち前記係止突起が設けられる箇所の周辺に形成される薄肉部であることを特徴としている。
【００１０】
請求項６の発明は、請求項１乃至請求項５のいずれか１項記載のコネクタにおいて、前記嵌合部材は、前記コネクタハウジングを収容可能な第２のコネクタハウジングであることを特徴としている。
【００１１】
請求項７の発明は、請求項１乃至請求項５のいずれか１項記載のコネクタにおいて、前記弾性腕部は、前記係止突起と前記係合部との係合後に、前記嵌合部材のうち、前記係合部が設けられる箇所の周辺の内壁面を付勢保持することを特徴としている。
【発明の効果】
【００１２】
以上説明したように、第１コネクタハウジングを第２コネクタハウジングに挿入する方向に沿って第１ハウジング摺動面に立設された基端部から第２ハウジング摺動面の周方向に沿って延設され、且つ第１コネクタハウジングが第２コネクタハウジングに挿入された状態で可撓変形し、第２ハウジング摺動面に付勢保持される付勢リブの先端部に係止突起が配設されたことにより、コネクタハウジングを挿入する際に要する力を最初から最後まで同等にすることができる。
【００１３】
また、係止突起のロッキングアーム基端側に付勢力調整部が設けられたことにより、第１コネクタハウジングを第２コネクタハウジングに挿入する際に要する力を係止突起を係合部に係合させる際に要する力と同等にすることができる。
【発明を実施するための最良の形態】
【００１４】
以下、図面を参照して本発明のコネクタの一実施形態を詳細に説明する。図１は本実施形態のコネクタの第１コネクタハウジングと、第２コネクタハウジングの様子を示した斜視図、図２は第１コネクタハウジングのロッキングアームを拡大した上面図、図３は第１コネクタハウジングのロッキングアームを拡大した正面図、図４は第１コネクタハウジングと第２コネクタハウジングが連結する様子を示した断面図、図５は第１コネクタハウジングと第２コネクタハウジングが連結した様子を示した断面図である。
【００１５】
図１〜図５に示されるように、本実施形態のコネクタ１は、コネクタハウジングとしての第１コネクタハウジング１０と、嵌合部材として第１コネクタハウジング１０を収容可能な第２コネクタハウジング２０から構成され、これら第１コネクタハウジング１０と第２コネクタハウジング２０を連結することで、各コネクタハウジング１０、２０に配設されている端子（不図示）を連結するものである。第１コネクタハウジング１０と第２コネクタハウジング２０の各中心部分には、端子収納部１１、２１が形成され、第２コネクタハウジング２０の端子収納部２１に第１コネクタハウジング１０の端子収納部１１が挿入されることで各コネクタハウジング１０、２０に収容された端子が連結される。
【００１６】
第１コネクタハウジング１０の上面に位置する側壁１２には、ロッキングアーム３０が設けられ、このロッキングアームの先端部に設けられた係止突起３１と、第１コネクタハウジング１０と第２コネクタハウジング２０が連結した状態で、側壁１２と対向する第２コネクタハウジング２０の第２ハウジング摺動面２２に設けられた係合部４０とは、嵌脱自在に形成されており、第１コネクタハウジング１０と第２コネクタハウジング２０が連結した状態で、係合部４０に係止突起３１が係止され、連結状態が保持される。
【００１７】
また、必要に応じて係合部４０と係止突起３１の係合を解除することで、第２コネクタハウジング２０から第１コネクタハウジング１０を抜取ることができる構成になっている。
【００１８】
このロッキングアーム３０は、可撓性を備えた素材によって形成されており、側壁１２に第１コネクタハウジング１０を第２コネクタハウジング２０へ挿入する方向に沿って第１コネクタハウジング１０の嵌合方向前端から後端に向けて連続形成されるとともに、基端部３２から第１コネクタハウジング１０の外周方向に屈曲しつつ、側壁１２から離れるように延びる片持ちの弾性腕部３３とから構成されている。また、この弾性腕部３３の先端部３３ａに係止突起３１が形成されている。そして、第１コネクタハウジング１０と第２コネクタハウジング２０が連結した状態で、ロッキングアーム３０が内壁面としての第２ハウジング摺動面２２に付勢保持される。
【００１９】
さらに、ロッキングアーム３０の先端部の前方には、第１コネクタハウジング１０が第２コネクタハウジング２０に連結された状態で、係合部４０の第１コネクタハウジング１０に面した係合部内周面４１に当接するテーパー面３４が設けられている。また、ロッキングアーム３０基端側には、付勢力調整手段としてのスリット３６が設けられている。
【００２０】
係合部４０は、ロッキングアーム３０を跨ぐように両端が第２ハウジング摺動面２２の第２コネクタハウジング開口部側２３に支持される両持ち梁で形成されており、第１コネクタハウジング１０と第２コネクタハウジング２０が連結した状態で、係合部４０の係合面４２に係止突起３１の係止面３５が当接し、第１コネクタハウジング１０の脱落が防止されている。
【００２１】
次に、第１コネクタハウジング１０が第２コネクタハウジング２０に連結される様子を示す。図１〜図５に示されるように、第２コネクタハウジング２０の端子収納部２１に第１コネクタハウジング１０の端子収納部１１先端を挿入する。このとき、ロッキングアーム３０は撓み変形をしながら、テーパー面３４が係合部内周面４１に当接しつつ、スライドする。
【００２２】
そして、端子収納部２１に端子収納部１１がさらに挿入されると、ロッキングアーム３０はスリット３６部分周辺でさらに撓み、係合部内周面４１に当接している部位が、テーパー面３４から係止突起３１に設けられた摺動斜面３７に移行する。さらに、端子収納部２１に端子収納部１１を挿入すると、係合部内周面４１が係止突起３１を乗り越え、係合部４０の係合面４２に係止突起３１が係止される。
【００２３】
係合面４２に係止突起３１が係止された状態で、ロッキングアーム３０の反発力によって、リブ摺動部３８が係合部内周面４１に付勢保持される。
【００２４】
以上、本実施形態のコネクタ１では、第１コネクタハウジング１０を第２コネクタハウジング２０に挿入する方向に沿って側壁１２に立設された基端部３２から第２ハウジング摺動面２２の周方向に沿って延設され、且つ第１コネクタハウジング１０が第２コネクタハウジング２０に挿入された状態で可撓変形し、第２ハウジング摺動面２２に付勢保持されるロッキングアーム３０の先端部に係止突起３１が配設されたことにより、コネクタハウジングを挿入する際に要する力を最初から最後まで同等にすることができる。
【００２５】
また、係止突起のロッキングアーム基端側に付勢力調整部が設けられたことにより、第１コネクタハウジング１０を第２コネクタハウジング２０に挿入する際に要する力を係止突起３１を係合部４０に係合させる際に要する力と同等にすることができる。
【００２６】
なお、本実施形態のコネクタ１では、付勢力調整手段としてスリット３６が設けられているが、弾性腕部３３の係止突起３１が設けられる箇所の周辺に薄肉部（不図示）を設けることで同様の効果を得ることができる。
【図面の簡単な説明】
【００２７】
【図１】本実施形態のコネクタの第１コネクタハウジングと第２コネクタハウジングの様子を示した斜視図である。
【図２】第１コネクタハウジングのロッキングアームを拡大した上面図である。
【図３】第１コネクタハウジングのロッキングアームを拡大した正面図である。
【図４】第１コネクタハウジングと第２コネクタハウジングが連結する様子を示した断面図である。
【図５】第１コネクタハウジングと第２コネクタハウジングが連結した様子を示した断面図である。
【符号の説明】
【００２８】
１…コネクタ
１０…第１コネクタハウジング
１２…第１ハウジング摺動面
２０…第２コネクタハウジング
２２…第２ハウジング摺動面
３０…ロッキングアーム
３１…係止突起
３２…基端部
３６…スリット（付勢力調整部）
４０…係合部
【図１】
2006073317.tif 000003
【図２】
2006073317.tif 000004
【図３】
2006073317.tif 000005
【図４】
2006073317.tif 000006
【図５】
2006073317.tif 000007